(57)【要約】      （修正有）【課題】ロール状に巻いた巻きオシボリを食前、食後など複数回に分けて衛生的に使用するのに極めて便利な見栄えの良いオシボリ包装体を提供する。また、食前に顔や手やテーブル面を拭き、食後に口を拭くようにして用いる、拭き量の大小を異にする複数回の衛生的な使用に適した見栄えの良いオシボリ包装体を提供する。【解決手段】分離された複数個の巻きオシボリ２を直列状態に並べてピロー包装の包装体３で包装したオシボリ包装体１を提供する。また、分離されかつ長短長さＬが異なる複数個の巻きオシボリ２を直列状態に並べてピロー包装の包装体３で包装したオシボリ包装体１を提供する。また、分離されかつ色違いの複数個の巻きオシボリ２を直列状態に並べてピロー包装の包装体３で包装したオシボリ包装体１を提供する。【選択図】図１
0003193349.tif 000002
【実用新案登録請求の範囲】
【請求項１】
オシボリシートをロール状に巻いた湿潤状態の巻きオシボリをプラスチックフィルムのピロー包装から成る包装体で密閉状態に包装したオシボリ包装体であって、前記巻きオシボリが分離された複数個の巻きオシボリから成り、この複数個の巻きオシボリが、ピロー包装から成る前記包装体のセンターシール部のシール方向と平行な方向に直列状態に並べられた態様で、かつ直列状態に並べられた複数個の巻きオシボリの両端部がピロー包装から成る前記包装体の両エンドシール部に向けられた態様で前記包装体内に包装された構造のオシボリ包装体。
【請求項２】
オシボリシートをロール状に巻いた湿潤状態の巻きオシボリをプラスチックフィルムのピロー包装から成る包装体で密閉状態に包装したオシボリ包装体であって、前記巻きオシボリが分離されかつ長短長さが異なる複数個の巻きオシボリから成り、この複数個の巻きオシボリが、ピロー包装から成る前記包装体のセンターシール部のシール方向と平行な方向に直列状態に並べられた態様で、かつ直列状態に並べられた複数個の巻きオシボリの両端部がピロー包装から成る前記包装体の両エンドシール部に向けられた態様で前記包装体内に包装された構造のオシボリ包装体。
【請求項３】
オシボリシートをロール状に巻いた湿潤状態の巻きオシボリをプラスチックフィルムのピロー包装から成る透明又は半透明の包装体で密閉状態に包装したオシボリ包装体であって、前記巻きオシボリが分離されかつ色違いの複数個の巻きオシボリから成り、この複数個の巻きオシボリが、ピロー包装から成る前記包装体のセンターシール部のシール方向と平行な方向に直列状態に並べられた態様で、かつ直列状態に並べられた複数個の巻きオシボリの両端部がピロー包装から成る前記包装体の両エンドシール部に向けられた態様で前記包装体内に包装された構造のオシボリ包装体。
【請求項４】
オシボリシートをロール状に巻いた湿潤状態の巻きオシボリをプラスチックフィルムのピロー包装から成る包装体で密閉状態に包装したオシボリ包装体であって、前記巻きオシボリが、オシボリシートの横幅方向と直交する左右の折り目で区分けされた当該オシボリシートの長さがほぼ等しい左右両側部を該折り目間の基シート部に向け、かつ前記折り目で折られた長さがほぼ等しい両折り片の端縁が離間した状態に折り畳み、且つ前記両折り片の離間した端縁間に位置する前記基シート部の横幅方向の中央部を前記折り目と平行な分断線で切断した後に、この分断線で切断され分断された二個の折り畳みシートを前記横幅方向と直交する縦幅方向に前記折り目で折られた折り片を内側にしてそれぞれロール状に巻いて形成した長さがほぼ等しい二個の巻きオシボリから成り、この二個の巻きオシボリが、前記分断線で切断された切断端縁が巻回されているオシボリ端部が互いに隣り合う直列状態に並べられた態様で、かつピロー包装から成る前記包装体のセンターシール部のシール方向と平行な方向に直列状態に並べられた態様で、かつ直列状態に並べられた二個の巻きオシボリの前記折り目が巻回されている両端部がピロー包装から成る前記包装体の両エンドシール部に向けられた態様で前記包装体内に包装された構造のオシボリ包装体。
【請求項５】
オシボリシートをロール状に巻いた湿潤状態の巻きオシボリをプラスチックフィルムのピロー包装から成る包装体で密閉状態に包装したオシボリ包装体であって、前記巻きオシボリが、オシボリシートの横幅方向と直交する左右の折り目で区分けされた当該オシボリシートの長短長さが異なる左右両側部を該折り目間の基シート部に向け、かつ前記折り目で折られた長短長さが異なる両折り片の端縁が離間した状態に折り畳み、且つ前記両折り片の離間した端縁間に位置する前記基シート部の横幅方向における長短長さを異にする位置部分を前記折り目と平行な分断線で切断した後に、この分断線で切断され分断された二個の折り畳みシートを前記横幅方向と直交する縦幅方向に前記折り目で折られた折り片を内側にしてそれぞれロール状に巻いて形成した長短長さが異なる二個の巻きオシボリから成り、この二個の巻きオシボリが、前記分断線で切断された切断端縁が巻回されているオシボリ端部が互いに隣り合う直列状態に並べられた態様で、かつピロー包装から成る前記包装体のセンターシール部のシール方向と平行な方向に直列状態に並べられた態様で、かつ直列状態に並べられた二個の巻きオシボリの前記折り目が巻回されている両端部がピロー包装から成る前記包装体の両エンドシール部に向けられた態様で前記包装体内に包装された構造のオシボリ包装体。
【請求項６】
オシボリシートをロール状に巻いた湿潤状態の巻きオシボリをプラスチックフィルムのピロー包装から成る包装体で密閉状態に包装したオシボリ包装体であって、前記巻きオシボリが、オシボリシートの横幅方向と直交する左右の折り目で区分けされた当該オシボリシートの長さがほぼ等しい左右両側部を該折り目間の基シート部に向け蛇腹折り状態又は巻き折り状態に折り畳み、かつ蛇腹折り状態又は巻き折り状態に折られた左右の蛇腹折り状折り片部又は巻き折り状折り片部の対向端部が離間した状態に折り畳み、且つ離間した左右の蛇腹折り状折り片部又は巻き折り状折り片部の対向端部の間に位置する前記基シート部の横幅方向の中央部を前記折り目と平行な分断線で切断した後に、この分断線で切断され分断された二個の折り畳みシートを前記横幅方向と直交する縦幅方向に前記蛇腹折り状折り片部又は巻き折り状折り片部を内側にしてそれぞれロール状に巻いて形成した長さがほぼ等しい二個の巻きオシボリから成り、この二個の巻きオシボリが、前記分断線で切断された切断端縁が巻回されているオシボリ端部が互いに隣り合う直列状態に並べられた態様で、かつピロー包装から成る前記包装体のセンターシール部のシール方向と平行な方向に直列状態に並べられた態様で、かつ直列状態に並べられた二個の巻きオシボリの両端部がピロー包装から成る前記包装体の両エンドシール部に向けられた態様で前記包装体内に包装された構造のオシボリ包装体。
【請求項７】
オシボリシートをロール状に巻いた湿潤状態の巻きオシボリをプラスチックフィルムのピロー包装から成る包装体で密閉状態に包装したオシボリ包装体であって、前記巻きオシボリが、オシボリシートの横幅方向と直交する左右の折り目で区分けされた当該オシボリシートの長短長さが異なる左右両側部を該折り目間の基シート部に向け蛇腹折り状態又は巻き折り状態に折り畳み、かつ蛇腹折り状態又は巻き折り状態に折られた左右の蛇腹折り状折り片部又は巻き折り状折り片部の対向端部が離間した状態に折り畳み、且つ離間した左右の蛇腹折り状折り片部又は巻き折り状折り片部の対向端部の間に位置する前記基シート部の横幅方向における長短長さを異にする位置部分を前記折り目と平行な分断線で切断した後に、この分断線で切断され分断された二個の折り畳みシートを前記横幅方向と直交する縦幅方向に前記蛇腹折り状折り片部又は巻き折り状折り片部を内側にしてそれぞれロール状に巻いて形成した長短長さが異なる二個の巻きオシボリから成り、この二個の巻きオシボリが、前記分断線で切断された切断端縁が巻回されているオシボリ端部が互いに隣り合う直列状態に並べられた態様で、かつピロー包装から成る前記包装体のセンターシール部のシール方向と平行な方向に直列状態に並べられた態様で、かつ直列状態に並べられた二個の巻きオシボリの両端部がピロー包装から成る前記包装体の両エンドシール部に向けられた態様で前記包装体内に包装された構造のオシボリ包装体。
【請求項８】
オシボリシートをロール状に巻いた湿潤状態の巻きオシボリをプラスチックフィルムのピロー包装から成る包装体で密閉状態に包装したオシボリ包装体であって、前記巻きオシボリが、分離されかつ長さがほぼ等しい二個の巻きオシボリ、又は分離されかつ長短長さが異なる二個の巻きオシボリから成り、この二個の巻きオシボリが、ピロー包装から成る前記包装体のセンターシール部のシール方向と平行な方向に直列状態に並べられた態様で、かつ直列状態に並べられた二個の巻きオシボリの両端部がピロー包装から成る前記包装体の両エンドシール部に向けられた態様で前記包装体内に包装された構造のオシボリ包装体であり、前記包装体の両エンドシール部の間の包装胴部の適位置に、この包装体を開封するための開封用ミシン目線を両エンドシール部と平行な方向すなわち包装胴部の胴回り方向に延ばして形成すると共に、この開封用ミシン目線の形成位置を被う範囲のプラスチックフィルム包装体の外側表面又は内側表面に前記開封用ミシン目線の破断切れ目線部の通気性を阻止して包装された巻きオシボリの湿潤状態を保つための樹脂被膜を溶剤で溶かした樹脂を薄く塗布して積層形成し、この樹脂被膜は前記プラスチックフィルムの包装体より破断されやすい弱い破断強度に形成され、且つこの樹脂被膜が積層形成されている前記開封用ミシン目線の形成位置における引張強度はプラスチックフィルムのみから成る前記包装体の引張強度より破断されやすい弱い引張強度に形成したオシボリ包装体。
【請求項９】
オシボリシートをロール状に巻いた湿潤状態の巻きオシボリをプラスチックフィルムのピロー包装から成る包装体で密閉状態に包装したオシボリ包装体であって、前記巻きオシボリが、分離されかつ長さがほぼ等しい二個の巻きオシボリ、又は分離されかつ長短長さが異なる二個の巻きオシボリから成り、この二個の巻きオシボリが、ピロー包装から成る前記包装体のセンターシール部のシール方向と平行な方向に直列状態に並べられた態様で、かつ直列状態に並べられた二個の巻きオシボリの両端部がピロー包装から成る前記包装体の両エンドシール部に向けられた態様で前記包装体内に包装された構造のオシボリ包装体であり、前記包装体の両エンドシール部の間の包装胴部の適位置に、この包装体を開封するための開封用ミシン目線を両エンドシール部と平行な方向すなわち包装胴部の胴回り方向の全周囲にわたって延ばし、該包装体を前記開封用ミシン目線で二つに分断して開封できるように形成すると共に、この開封用ミシン目線の形成位置を被う範囲のプラスチックフィルム包装体の外側表面又は内側表面に前記開封用ミシン目線の破断切れ目線部の通気性を阻止して包装された巻きオシボリの湿潤状態を保つための樹脂被膜を溶剤で溶かした樹脂を薄く塗布して積層形成し、この樹脂被膜は前記プラスチックフィルムの包装体より破断されやすい弱い破断強度に形成され、且つこの樹脂被膜が積層形成されている前記開封用ミシン目線の形成位置における引張強度はプラスチックフィルムのみから成る前記包装体の引張強度より破断されやすい弱い引張強度に形成したオシボリ包装体。
【請求項１０】
前記包装体内に直列状態に並べた態様で包装された二個の巻きオシボリの隣り合う互いの端部位置と前記開封用ミシン目線の形成位置が対応するように形成した、請求項８又は９に記載のオシボリ包装体。
【請求項１１】
オシボリシートをロール状に巻いた湿潤状態の巻きオシボリをプラスチックフィルムのピロー包装から成る包装体で密閉状態に包装したオシボリ包装体であって、前記巻きオシボリが、オシボリシートの横幅方向と直交する左右の折り目で区分けされた当該オシボリシートの左右両側部を該折り目間の基シート部に向け、かつ前記折り目で折られた両折り片の端縁が離間した状態に折り返し、前記両折り片の離間した端縁間に位置する前記基シート部の部分に前記折り目と平行な方向に延びる分断用ミシン目線を形成し、且つこの折り畳みシートを前記横幅方向と直交する縦幅方向に前記折り目で折られた両折り片を内側にしてロール状に巻いて形成した巻きオシボリであり、この巻きオシボリを当該巻きオシボリの前記折り目が巻回されている両端部がピロー包装から成る前記包装体の両エンドシール部に向けられた態様で前記包装体内に包装した構造のオシボリ包装体。
【考案の詳細な説明】
【技術分野】
【０００１】
本考案は、ロール状に巻いた湿潤状態の巻きオシボリをプラスチックフィルムの包装体で密閉状態に包装したオシボリ包装体に関する。
【背景技術】
【０００２】
飲食店などで、ロール状に巻いた湿潤状態の巻きオシボリを一個ずつプラスチックフィルムの包装体で密閉状態に個別包装したオシボリ包装体（例えば、特許文献１の図２を参照）が広く使用されている。また、平らに折り畳んだ湿潤状態の折り畳みオシボリを一個ずつプラスチックフィルムの包装体で密閉状態に個別包装したオシボリ包装体も広く使用されている。
【０００３】
湿潤状態の巻きオシボリや折り畳みオシボリは、食事前に顔や手やテーブル面を拭いた後、食事中や食後に口を拭いたりして用いられている。しかし、食事前に顔や手やテーブル面を拭いた同じオシボリで食事中や食後に口を拭くのは不衛生で好ましくない。このため、一人の客が一個包装されたオシボリを食事の前後などに複数個使用している。このような事を考慮して、焼肉、バイキング、回転すしなどの飲食店では、客が自由に必要なだけ一個包装されたオシボリを使用できるようにまとめて出している店が増えている。しかし、一人の客が一個包装されたオシボリを食事の前後などに複数個使用するのは、提供するお店にとってはコスト高になってしまい、使用するお客にとっても使用するたびに包装体を開封しなければならず面倒である。
【０００４】
複数回の衛生的な拭き取りを可能にした清拭用シート包装体として、折り畳まれた湿潤状態の清拭用シートを分断用ミシン目線で二つに分断できるようにした清拭用シート包装体が公開（特許文献２）されている。この清拭用シート包装体は、該文献の図１のように、折り畳まれた湿潤状態の清拭用シートがフィルムにより個包装された清拭用シート包装体であって、この清拭用シートが、観音折り、二つ折り、巻き折り、又は蛇腹折りされた後に、その折り縁に直行する方向の両端縁を、それら両端縁間の中央部に向かってかつそれら端縁が離間した状態に折り返されて折り畳まれ、その離間した端縁間には分断用ミシン目線が形成されているものである。また、この清拭用シート包装体は、該文献の図７のように、折り畳まれた湿潤状態の清拭用シートがフィルムにより個包装された清拭用シート包装体であって、この清拭用シートは、観音折り、二つ折り、巻き折り、又は蛇腹折りされた後に、その折り縁に直行する方向の両端縁が合うように二つ折りされて折り畳まれ、かつ前記両端縁間に分断用ミシン目線が形成されているものである。
【０００５】
また、特許文献２の出願よりかなり以前に、不通気性フィルムからなる包装材により密封された衛生濡れナプキンで、該ナプキンに破断線（ミシン目状の破断線）を設け、使用に際し、濡れナプキンを破断線（ミシン目状の破断線）で適宜な大きさに切断できるようにした衛生濡れナプキンが公開（特許文献３）されている。
【０００６】
しかし、特許文献２の折り畳まれた湿潤状態の清拭用シート、及び特許文献３の濡れナプキンは、使用に際し、いずれもミシン目状の破断線で切断しなければならず面倒であり、しかも容易にかつ綺麗に切り離しできないのが実情である。その証左として、これらの商品は市場で見かけない。
【先行技術文献】
【特許文献】
【０００７】
【特許文献１】特許第３９２０９１１号公報（図２参照）
【特許文献２】特開２００９−２０７５６７号公報
【特許文献３】実公昭６１−３２５５６号公報
【考案の概要】
【考案が解決しようとする課題】
【０００８】
このような実情に鑑み、本考案は、一包装体内に湿潤状態の巻きオシボリを密閉状態に包装したオシボリ包装体であって、この湿潤状態の巻きオシボリを食前、食後など複数回に分けて衛生的に使用するのに極めて便利な見栄えの良いオシボリ包装体を提供することを主な解決課題（第１の課題）とする。
【０００９】
また、本考案は、一包装体内に湿潤状態の巻きオシボリを密閉状態に包装したオシボリ包装体であって、例えば、食前に顔や手やテーブル面を拭き、食後に口を拭くようにして巻きオシボリを用いる、拭き量の大小を異にする複数回の衛生的な使用に適した見栄えの良いオシボリ包装体を提供することを主な解決課題（第２の課題）とする。
【課題を解決するための手段】
【００１０】
前記した課題（第１の課題）を解決するため、本考案（請求項１の考案）は、オシボリシートをロール状に巻いた湿潤状態の巻きオシボリをプラスチックフィルムのピロー包装から成る包装体で密閉状態に包装したオシボリ包装体であって、前記巻きオシボリが分離された複数個（好ましくは、二個又は三個）の巻きオシボリから成り、この複数個の巻きオシボリが、ピロー包装から成る前記包装体のセンターシール部のシール方向と平行な方向に直列状態に並べられた態様で、かつ直列状態に並べられた複数個の巻きオシボリの両端部がピロー包装から成る前記包装体の両エンドシール部に向けられた態様で前記包装体内に包装された構造のオシボリ包装体を提供する。本考案（請求項１の考案）では、複数個の各巻きオシボリは、その長さがほぼ等しいものでも、長短異なるものでも良く、特に限定しない。
【００１１】
本考案のオシボリ包装体は、分離された複数個の巻きオシボリを包装体内に包装したオシボリ包装体であるため、あらかじめ分離された複数個の巻きオシボリを食前用、食後用などとしてそのまま衛生的に使用でき、背景技術の特許文献２のように使用者がミシン目線で分断する必要もなく、手間がかからず、便利である。
【００１２】
しかも、本考案は、分離された複数個の巻きオシボリが、ピロー包装から成る包装体のセンターシール部のシール方向と平行な方向に直列状態に並べられた態様で、かつ直列状態に並べられた複数個の巻きオシボリの両端部がピロー包装から成る包装体の両エンドシール部に向けられた態様で包装体内に包装された構造のオシボリ包装体であり、分離された複数個の巻きオシボリの互いの丸め胴部が接触しない包装形態であるため、包装された複数個の巻きオシボリの巻きが解けにくく、またロール状の巻き形態も変形されにくい利点がある。ちなみに、分離された複数個の巻きオシボリを平行に並べた態様で包装体内に包装した場合は、複数個の巻きオシボリの互いの丸め胴部が接触してしまうため、巻きオシボリの巻きが解けやすく、ロール状の巻き形態も変形されやすい欠点が試験結果で分かった。
【００１３】
しかも、直列状態に並べた態様で包装されるため、分離された複数個の巻きオシボリであっても、一個の巻きオシボリを個別包装した包装態様とほぼ同様な一直線の整然とした包装態様となり、透明や半透明の包装体で包装した場合は見た目も綺麗で見栄えが良い。
【００１４】
しかも、本考案は、例えば食後用の後で使用する巻きオシボリの湿潤状態を開封した包装体で保持しやすい。例えば包装体の端部や中間部を破断して、食前用の最初に使用する巻きオシボリを取出した開封後の包装体は、包装胴部と一方の端部を残し、ある程度の包装機能を有しているため、食後用の後で使用する巻きオシボリを開封後の包装体で包装でき、後で使用する巻きオシボリの湿潤状態をある程度は保持できる。
【００１５】
また、前記した課題（第１及び第２の課題）を解決するため、本考案（請求項２の考案）は、オシボリシートをロール状に巻いた湿潤状態の巻きオシボリをプラスチックフィルムのピロー包装から成る包装体で密閉状態に包装したオシボリ包装体であって、前記巻きオシボリが分離されかつ長短長さが異なる複数個の巻きオシボリから成り、この複数個の巻きオシボリが、ピロー包装から成る前記包装体のセンターシール部のシール方向と平行な方向に直列状態に並べられた態様で、かつ直列状態に並べられた複数個の巻きオシボリの両端部がピロー包装から成る前記包装体の両エンドシール部に向けられた態様で前記包装体内に包装された構造のオシボリ包装体を提供する。
【００１６】
本考案（請求項２の考案）によれば、請求項１の考案による利点に加え、比較的長い巻きオシボリ（拭き取りシート面が比較的大きなオシボリ）で食事前に顔や手やテーブル面を拭き、比較的短い巻きオシボリ（拭き取りシート面が比較的小さなオシボリ）で食後に口を拭くようにして、長短二個（大小二個）の巻きオシボリを食前、食後などの拭き量の大小に応じて使い分けでき、便利である。しかも、直列状態に並べた態様で包装されるため、長短二個（大小二個）の巻きオシボリであっても、一個の巻きオシボリを個別包装した包装態様とほぼ同様な一直線の整然とした包装態様となり、透明や半透明の包装体で包装した場合は見た目も綺麗で見栄えが良いものである。ちなみに長短二個（大小二個）の巻きオシボリを平行に並べた包装態様では不揃いで、見た目も悪い。
【００１７】
また、前記した課題（第１の課題）を解決するため、本考案（請求項３の考案）は、オシボリシートをロール状に巻いた湿潤状態の巻きオシボリをプラスチックフィルムのピロー包装から成る透明又は半透明の包装体で密閉状態に包装したオシボリ包装体であって、前記巻きオシボリが分離されかつ色違いの複数個（好ましくは、二個又は三個）の巻きオシボリから成り、この複数個の巻きオシボリが、ピロー包装から成る前記包装体のセンターシール部のシール方向と平行な方向に直列状態に並べられた態様で、かつ直列状態に並べられた複数個の巻きオシボリの両端部がピロー包装から成る前記包装体の両エンドシール部に向けられた態様で前記包装体内に包装された構造のオシボリ包装体を提供する。
【００１８】
本考案（請求項３の考案）によれば、複数個の巻きオシボリを色違いにしてあるため、複数個入りであることがオシボリ使用者に分かり易く、複数個入りであることをオシボリ使用者にアピールできる。一例として、紅白の二個の巻きオシボリの組み合わせにすれば、祝祭用のオシボリとしても使用でき、新たな需要を喚起できる。
【００１９】
また、前記した課題（第１の課題）を解決するため、本考案（請求項４の考案）は、オシボリシートをロール状に巻いた湿潤状態の巻きオシボリをプラスチックフィルムのピロー包装から成る包装体で密閉状態に包装したオシボリ包装体であって、前記巻きオシボリが、オシボリシートの横幅方向と直交する左右の折り目で区分けされた当該オシボリシートの長さがほぼ等しい左右両側部を該折り目間の基シート部に向け、かつ前記折り目で折られた長さがほぼ等しい両折り片の端縁が離間した状態に折り畳み、且つ前記両折り片の離間した端縁間に位置する前記基シート部の横幅方向の中央部を前記折り目と平行な分断線で切断した後に、この分断線で切断され分断された二個の折り畳みシートを前記横幅方向と直交する縦幅方向（前記折り目に沿う方向）に前記折り目で折られた折り片を内側にしてそれぞれロール状に巻いて形成した長さがほぼ等しい二個の巻きオシボリから成り、この二個の巻きオシボリが、前記分断線で切断された切断端縁が巻回されているオシボリ端部が互いに隣り合う直列状態に並べられた態様で、かつピロー包装から成る前記包装体のセンターシール部のシール方向と平行な方向に直列状態に並べられた態様で、かつ直列状態に並べられた二個の巻きオシボリの前記折り目が巻回されている両端部がピロー包装から成る前記包装体の両エンドシール部に向けられた態様で前記包装体内に包装された構造のオシボリ包装体を提供する。
【００２０】
本考案（請求項４の考案）によれば、請求項１の考案による利点に加え、横幅の広いオシボリシートから二個の巻きオシボリを形成しても、二個の巻きオシボリを直列状態に並べた態様での合計長さを短めにでき、かつ各巻きオシボリを広げて使用する際の拭き取りシート面を広めに確保できる。しかも、直列状態に並べた態様での二個の巻きオシボリは実質的に左右対称となるため、一個の巻きオシボリを個別包装した包装態様とほぼ同様な直列の整然とした包装態様となり、透明や半透明の包装体で包装した場合は見た目も綺麗である。しかも二個の巻きオシボリの形成に際しオシボリシートの切れ端もでない。
【００２１】
さらに、本考案（請求項４の考案）によれば、二個の巻きオシボリをセンターシール部のシール方向と平行な方向に直列状態に並べた態様でピロー包装しやすい。さらに、本考案（請求項４の考案）によれば、折り目で折られた折り片を内側にしてそれぞれロール状に巻いて形成した二個の巻きオシボリであるため、折り片の跳ね返りもなくピロー包装しやすい。なお、背景技術の特許文献２の図１の実施形態では、一次折りされた後に、二次折りされた折り返しシートの跳ね返り現象があり、ピロー包装しにくい。
【００２２】
また、前記した課題（第１及び第２の課題）を解決するため、本考案（請求項５の考案）は、オシボリシートをロール状に巻いた湿潤状態の巻きオシボリをプラスチックフィルムのピロー包装から成る包装体で密閉状態に包装したオシボリ包装体であって、前記巻きオシボリが、オシボリシートの横幅方向と直交する左右の折り目で区分けされた当該オシボリシートの長短長さが異なる左右両側部を該折り目間の基シート部に向け、かつ前記折り目で折られた長短長さが異なる両折り片の端縁が離間した状態に折り畳み、且つ前記両折り片の離間した端縁間に位置する前記基シート部の横幅方向における長短長さを異にする位置部分を前記折り目と平行な分断線で切断した後に、この分断線で切断され分断された二個の折り畳みシートを前記横幅方向と直交する縦幅方向（前記折り目に沿う方向）に前記折り目で折られた折り片を内側にしてそれぞれロール状に巻いて形成した長短長さが異なる二個の巻きオシボリから成り、この二個の巻きオシボリが、前記分断線で切断された切断端縁が巻回されているオシボリ端部が互いに隣り合う直列状態に並べられた態様で、かつピロー包装から成る前記包装体のセンターシール部のシール方向と平行な方向に直列状態に並べられた態様で、かつ直列状態に並べられた二個の巻きオシボリの前記折り目が巻回されている両端部がピロー包装から成る前記包装体の両エンドシール部に向けられた態様で前記包装体内に包装された構造のオシボリ包装体を提供する。
【００２３】
本考案（請求項５の考案）によれば、請求項１及び２の考案の前記した利点に加え、請求項４の考案と同様な利点がある。
【００２４】
また、前記した課題（第１の課題）を解決するため、本考案（請求項６の考案）は、オシボリシートをロール状に巻いた湿潤状態の巻きオシボリをプラスチックフィルムのピロー包装から成る包装体で密閉状態に包装したオシボリ包装体であって、前記巻きオシボリが、オシボリシートの横幅方向と直交する左右の折り目で区分けされた当該オシボリシートの長さがほぼ等しい左右両側部を該折り目間の基シート部に向け蛇腹折り状態又は巻き折り状態に折り畳み、かつ蛇腹折り状態又は巻き折り状態に折られた左右の蛇腹折り状折り片部又は巻き折り状折り片部の対向端部が離間した状態に折り畳み、且つ離間した左右の蛇腹折り状折り片部又は巻き折り状折り片部の対向端部の間に位置する前記基シート部の横幅方向の中央部を前記折り目と平行な分断線で切断した後に、この分断線で切断され分断された二個の折り畳みシートを前記横幅方向と直交する縦幅方向（前記折り目に沿う方向）に前記蛇腹折り状折り片部又は巻き折り状折り片部を内側にしてそれぞれロール状に巻いて形成した長さがほぼ等しい二個の巻きオシボリから成り、この二個の巻きオシボリが、前記分断線で切断された切断端縁が巻回されているオシボリ端部が互いに隣り合う直列状態に並べられた態様で、かつピロー包装から成る前記包装体のセンターシール部のシール方向と平行な方向に直列状態に並べられた態様で、かつ直列状態に並べられた二個の巻きオシボリの両端部がピロー包装から成る前記包装体の両エンドシール部に向けられた態様で前記包装体内に包装された構造のオシボリ包装体を提供する。
【００２５】
本考案（請求項６の考案）によれば、請求項１の考案の前記した利点に加え、請求項４の考案と同様な利点がある。
【００２６】
また、前記した課題（第１及び第２の課題）を解決するため、本考案（請求項７の考案）は、オシボリシートをロール状に巻いた湿潤状態の巻きオシボリをプラスチックフィルムのピロー包装から成る包装体で密閉状態に包装したオシボリ包装体であって、前記巻きオシボリが、オシボリシートの横幅方向と直交する左右の折り目で区分けされた当該オシボリシートの長短長さが異なる左右両側部を該折り目間の基シート部に向け蛇腹折り状態又は巻き折り状態に折り畳み、かつ蛇腹折り状態又は巻き折り状態に折られた左右の蛇腹折り状折り片部又は巻き折り状折り片部の対向端部が離間した状態に折り畳み、且つ離間した左右の蛇腹折り状折り片部又は巻き折り状折り片部の対向端部の間に位置する前記基シート部の横幅方向における長短長さを異にする位置部分を前記折り目と平行な分断線で切断した後に、この分断線で切断され分断された二個の折り畳みシートを前記横幅方向と直交する縦幅方向（前記折り目に沿う方向）に前記蛇腹折り状折り片部又は巻き折り状折り片部を内側にしてそれぞれロール状に巻いて形成した長短長さが異なる二個の巻きオシボリから成り、この二個の巻きオシボリが、前記分断線で切断された切断端縁が巻回されているオシボリ端部が互いに隣り合う直列状態に並べられた態様で、かつピロー包装から成る前記包装体のセンターシール部のシール方向と平行な方向に直列状態に並べられた態様で、かつ直列状態に並べられた二個の巻きオシボリの両端部がピロー包装から成る前記包装体の両エンドシール部に向けられた態様で前記包装体内に包装された構造のオシボリ包装体を提供する。
【００２７】
本考案（請求項７の考案）によれば、請求項１及び２の考案の前記した利点に加え、請求項４の考案と同様な利点がある。
【００２８】
また、前記した課題（第１又は第２の課題）を解決するため、本考案（請求項８の考案）は、オシボリシートをロール状に巻いた湿潤状態の巻きオシボリをプラスチックフィルムのピロー包装から成る包装体で密閉状態に包装したオシボリ包装体であって、前記巻きオシボリが、分離されかつ長さがほぼ等しい二個の巻きオシボリ、又は分離されかつ長短長さが異なる二個の巻きオシボリから成り、この二個の巻きオシボリが、ピロー包装から成る前記包装体のセンターシール部のシール方向と平行な方向に直列状態に並べられた態様で、かつ直列状態に並べられた二個の巻きオシボリの両端部がピロー包装から成る前記包装体の両エンドシール部に向けられた態様で前記包装体内に包装された構造のオシボリ包装体であり、前記包装体の両エンドシール部の間の包装胴部の適位置に、この包装体を開封するための開封用ミシン目線を両エンドシール部と平行な方向すなわち包装胴部の胴回り方向に延ばして形成すると共に、この開封用ミシン目線の形成位置を被う範囲のプラスチックフィルム包装体の外側表面又は内側表面に前記開封用ミシン目線の破断切れ目線部の通気性を阻止して包装された巻きオシボリの湿潤状態を保つための樹脂被膜を溶剤で溶かした樹脂を薄く塗布して積層形成し、この樹脂被膜は前記プラスチックフィルムの包装体より破断されやすい弱い破断強度に形成され、且つこの樹脂被膜が積層形成されている前記開封用ミシン目線の形成位置における引張強度はプラスチックフィルムのみから成る前記包装体の引張強度より破断されやすい弱い引張強度に形成したオシボリ包装体を提供する。
【００２９】
また、前記した課題（第１又は第２の課題）を解決するため、本考案（請求項９の考案）は、オシボリシートをロール状に巻いた湿潤状態の巻きオシボリをプラスチックフィルムのピロー包装から成る包装体で密閉状態に包装したオシボリ包装体であって、前記巻きオシボリが、分離されかつ長さがほぼ等しい二個の巻きオシボリ、又は分離されかつ長短長さが異なる二個の巻きオシボリから成り、この二個の巻きオシボリが、ピロー包装から成る前記包装体のセンターシール部のシール方向と平行な方向に直列状態に並べられた態様で、かつ直列状態に並べられた二個の巻きオシボリの両端部がピロー包装から成る前記包装体の両エンドシール部に向けられた態様で前記包装体内に包装された構造のオシボリ包装体であり、前記包装体の両エンドシール部の間の包装胴部の適位置に、この包装体を開封するための開封用ミシン目線を両エンドシール部と平行な方向すなわち包装胴部の胴回り方向の全周囲にわたって延ばし、該包装体を前記開封用ミシン目線で二つに分断して開封できるように形成すると共に、この開封用ミシン目線の形成位置を被う範囲のプラスチックフィルム包装体の外側表面又は内側表面に前記開封用ミシン目線の破断切れ目線部の通気性を阻止して包装された巻きオシボリの湿潤状態を保つための樹脂被膜を溶剤で溶かした樹脂を薄く塗布して積層形成し、この樹脂被膜は前記プラスチックフィルムの包装体より破断されやすい弱い破断強度に形成され、且つこの樹脂被膜が積層形成されている前記開封用ミシン目線の形成位置における引張強度はプラスチックフィルムのみから成る前記包装体の引張強度より破断されやすい弱い引張強度に形成したオシボリ包装体を提供する。
【００３０】
本考案（請求項８、９の考案）のオシボリ包装体によれば、請求項１又は２の考案による効果に加え次の効果を期待できる。開封用ミシン目線の形成位置を被う樹脂被膜によって開封用ミシン目線の破断切れ目線部を通した包装内外の空気の流通を完全に阻止でき、包装体内の巻きオシボリの湿潤状態を長期間にわたって保つことができる。また、包装体を開封する際、開封用ミシン目線の形成位置を被う樹脂被膜は、この開封用ミシン目線に沿う破断線に沿ってこの開封用ミシン目線と共に容易に且つ綺麗に破断されるため、包装体を開封用ミシン目線に沿う規則的な破断線に沿って誰でも簡単かつ綺麗に開封できる。
【００３１】
さらに、開封した包装体は、包装胴部の胴回り方向に沿って綺麗に破られ開封されるため、最初に使用する巻きオシボリを取出した開封後の包装体は包装胴部と一方の端部を残し、ある程度の包装機能を有しているため、後で使用する巻きオシボリを開封した包装体で包装でき、後で使用する巻きオシボリの湿潤状態をある程度は保持できる。
【００３２】
また、本考案（請求項１０の考案）は、前記包装体内に直列状態に並べた態様で包装された二個の巻きオシボリの隣り合う互いの端部位置と前記開封用ミシン目線の形成位置が対応するように形成したオシボリ包装体を提供する。本考案によれば、破断された包装体の開封位置に二個の巻きオシボリの隣り合う互いの端部が位置しているため、二個の巻きオシボリを開封した包装体からそれぞれ取り出し易い。
【００３３】
また、本考案（請求項１１の考案）は、オシボリシートをロール状に巻いた湿潤状態の巻きオシボリをプラスチックフィルムのピロー包装から成る包装体で密閉状態に包装したオシボリ包装体であって、前記巻きオシボリが、オシボリシートの横幅方向と直交する左右の折り目で区分けされた当該オシボリシートの左右両側部を該折り目間の基シート部に向け、かつ前記折り目で折られた両折り片の端縁が離間した状態に折り返し、前記両折り片の離間した端縁間に位置する前記基シート部の部分に前記折り目と平行な方向に延びる分断用ミシン目線を形成し、且つこの折り畳みシートを前記横幅方向と直交する縦幅方向（前記折り目及び分断用ミシン目線に沿う方向）に前記折り目で折られた両折り片を内側にしてロール状に巻いて形成した巻きオシボリであり、この巻きオシボリを当該巻きオシボリの前記折り目が巻回されている両端部がピロー包装から成る前記包装体の両エンドシール部に向けられた態様で前記包装体内に包装した構造のオシボリ包装体を提供する。
【００３４】
本考案は、巻きオシボリを分断用ミシン目線で二個に分断する手間がかかるが、分断用ミシン目線で分断された二個の巻きオシボリを食前用、食後用として衛生的に使用できる。
【考案の効果】
【００３５】
本考案（請求項１から１０の考案）のオシボリ包装体は、分離された複数個の巻きオシボリを包装体内に包装したオシボリ包装体であるため、あらかじめ分離された複数個の巻きオシボリを食前用、食後用などとしてそのまま衛生的に使用でき、背景技術の特許文献２のように使用者がミシン目線で分断する必要もなく、手間がかからず、便利である。
【００３６】
しかも、本考案（請求項１から１０の考案）は、分離された複数個の巻きオシボリが、ピロー包装から成る包装体のセンターシール部のシール方向と平行な方向に直列状態に並べられた態様で、かつ直列状態に並べられた複数個の巻きオシボリの両端部がピロー包装から成る包装体の両エンドシール部に向けられた態様で包装体内に包装された構造のオシボリ包装体であり、分離された複数個の巻きオシボリの互いの丸め胴部が接触しない包装形態であるため、包装された複数個の巻きオシボリの巻きが解けにくく、またロール状の巻き形態も変形されにくい利点がある。
【００３７】
しかも、本考案（請求項１から１０の考案）は、直列状態に並べた態様で包装されるため、分離された複数個の巻きオシボリであっても、一個の巻きオシボリを個別包装した包装態様とほぼ同様な一直線の整然とした包装態様となり、透明や半透明の包装体で包装した場合は見た目も綺麗で見栄えが良い。
【００３８】
また、本考案（請求項２、５、７、８、９の考案）によれば、前記した利点に加え、比較的長い巻きオシボリ（拭き取りシート面が比較的大きなオシボリ）で食事前に顔や手やテーブル面を拭き、比較的短い巻きオシボリ（拭き取りシート面が比較的小さなオシボリ）で食後に口を拭くようにして、長短二個（大小二個）の巻きオシボリを食前、食後などの拭き量の大小に応じて使い分けでき、便利である。しかも、直列状態に並べられた態様で包装されるため、長短二個（大小二個）の巻きオシボリであっても、一個の巻きオシボリを個別包装した包装態様とほぼ同様な一直線の整然とした包装態様となり、透明や半透明の包装体で包装した場合は見た目も綺麗で見栄えが良い。ちなみに長短二個（大小二個）の巻きオシボリを平行に並べた包装態様では不揃いで、見た目も悪い。
【００３９】
また、本考案（請求項３の考案）によれば、複数個の巻きオシボリを色違いにしてあるため、複数個入りであることがオシボリ使用者に分かり易く、複数個入りであることをオシボリ使用者にアピールできる。一例として、紅白の二個の巻きオシボリの組み合わせにすれば、祝祭用のオシボリとしても使用でき、新たな需要を喚起できる。
【００４０】
また、本考案（請求項４から７の考案）によれば、前記した効果に加え主に次の効果がある。横幅の広いオシボリシートから二個の巻きオシボリを形成しても、二個の巻きオシボリを直列状態に並べた態様での合計長さを短めにでき、かつ各巻きオシボリを広げて使用する際の拭き取りシート面を広めに確保できる。しかも、直列状態に並べた態様での二個の巻きオシボリは実質的に左右対称となるため、一個の巻きオシボリを個別包装した包装態様とほぼ同様な直列の整然とした包装態様となり、透明や半透明の包装体で包装した場合は見た目も綺麗である。
【００４１】
また、本考案（請求項８、９の考案）によれば、前記した効果に加え主に次の効果がある。開封用ミシン目線の形成位置を被う樹脂被膜によって開封用ミシン目線の破断切れ目線部を通した包装内外の空気の流通を完全に阻止でき、包装体内の巻きオシボリの湿潤状態を長期間にわたって保つことができる。また、包装体を開封する際、開封用ミシン目線の形成位置を被う樹脂被膜は、この開封用ミシン目線に沿う破断線に沿ってこの開封用ミシン目線と共に容易に且つ綺麗に破断されるため、包装体を開封用ミシン目線に沿う規則的な破断線に沿って誰でも簡単かつ綺麗に開封できる。
【図面の簡単な説明】
【００４２】
【図１】本考案の実施形態を示す斜視図である。
【図２】二個の巻きオシボリを形成する手順を示した説明図である。
【図３】二個の巻きオシボリの他の折り形状を示した説明図である。
【図４】二個の巻きオシボリの他の折り形状を示した説明図である。
【図５】二個の巻きオシボリの他の折り形状を示した説明図である。
【図６】本考案の他の実施形態を示す斜視図である。
【図７】図６の実施形態の要部を説明的に示した拡大断面図である。
【図８】本考案の他の実施形態を示す斜視図である。
【考案を実施するための形態】
【００４３】
本考案のオシボリ包装体の実施形態を図面に基づき説明する。図１の（Ａ）（Ｂ）はオシボリ包装体の好ましい二つの実施形態を示している。
【００４４】
図１の（Ａ）に示したオシボリ包装体１は、紙や不織布製のオシボリシートをロール状に巻いた湿潤状態の巻きオシボリ２をプラスチックフィルムのピロー包装から成る包装体３で密閉状態に包装したオシボリ包装体１であって、前記巻きオシボリ２が分離されかつ長さ（符号Ｌで示した）がほぼ等しい二個（三個でも良い。）の巻きオシボリ２，２から成り、この二個の巻きオシボリ２，２が、ピロー包装から成る前記包装体３のセンターシール部４のシール方向と平行な方向に直列状態に並べられた態様で、かつ直列状態に並べられた二個の巻きオシボリ２，２の両端部がピロー包装から成る前記包装体３の両エンドシール部５，５に向けられた態様で包装体３内に包装された構造のオシボリ包装体である。
【００４５】
なお、二個の巻きオシボリ２，２の各々の長さ（符号Ｌで示した）は、直列状態に並べた全体長さが余り長くならないように、一個包装の通常の巻きオシボリの長さより短めに形成するのが好ましい。
【００４６】
なお、二個の巻きオシボリ２，２を色違いにすれば、複数個入りであることがオシボリ使用者に分かり易く、複数個入りであることをオシボリ使用者にアピールできる。この場合、包装体１は透明又は半透明するのが好ましい。色違い巻きオシボリの一例として、紅白の二個の巻きオシボリの組み合わせにすれば、祝祭用のオシボリとしても使用でき、新たな需要を喚起できる。
【００４７】
なお、図示してないが、エンドシール部５やセンターシール部４に包装体３を開封するための開封用ノッチ（切れ目やＶ字形切れ目）を設けても良いが、図６の開封手段を採用するのが好ましい。
【００４８】
図１の（Ｂ）に示したオシボリ包装体１は、紙や不織布製のオシボリシートをロール状に巻いた湿潤状態の巻きオシボリ２をプラスチックフィルムのピロー包装から成る包装体３で密閉状態に包装したオシボリ包装体１であって、前記巻きオシボリ２が分離されかつ長短の長さ（符号Ｌで示した）が異なる二個（三個でも良い。）の巻きオシボリ２，２から成り、この二個の巻きオシボリ２，２が、ピロー包装から成る前記包装体３のセンターシール部４のシール方向と平行な方向に直列状態に並べられた態様で、かつ直列状態に並べられた二個の巻きオシボリ２，２の両端部がピロー包装から成る前記包装体３の両エンドシール部５，５に向けられた態様で包装体３内に包装された構造のオシボリ包装体である。
【００４９】
図２は、図１の（Ａ）に示したオシボリ包装体１に相当する二個の巻きオシボリ（長さがほぼ等しい二個の巻きオシボリ）２，２を形成する好ましい手順を示した説明図である。
【００５０】
二個の巻きオシボリ２，２は、オシボリシートＳの横幅方向と直交する左右の折り目Ｆで区分けされた当該オシボリシートの長さがほぼ等しい左右両側部Ｓ２を該折り目Ｆ間の基シート部Ｓ１に向け、かつ前記折り目Ｆで折られた長さがほぼ等しい両折り片Ｓ２の端縁Ｓ２ａが離間した状態に折り畳み（図２の（ａ）を参照）、且つ前記両折り片Ｓ２の離間した端縁Ｓ２ａ間に位置する前記基シート部Ｓ１の横幅方向の中央部を前記折り目Ｆと平行な分断線Ｃで切断（図２の（ｂ）を参照）した後に、この分断線Ｃで切断され分断された二個の折り畳みシートを前記横幅方向と直交する縦幅方向（前記折り目Ｆに沿う方向）に前記折り目Ｆで折られた折り片Ｓ２を内側にしてそれぞれロール状に巻いて（図２の（ｃ）を参照）形成された、長さ（符号Ｌで示した）がほぼ等しい二個の巻きオシボリ２，２である。この二個の巻きオシボリ２，２を、図１の（Ａ）に示したオシボリ包装体１のように、前記分断線Ｃで切断された切断端縁が巻回されているオシボリ端部が互いに隣り合う直列状態に並べた態様で、かつピロー包装から成る前記包装体３のセンターシール部４のシール方向と平行な方向に直列状態に並べた態様で、かつ直列状態に並べた二個の巻きオシボリ２，２の前記折り目Ｆが巻回されている両端部がピロー包装から成る前記包装体３の両エンドシール部５，５に向けられた態様で包装体３内に包装してオシボリ包装体１を構成する。
【００５１】
図３は、図１の（Ｂ）に示したオシボリ包装体に相当する二個の巻きオシボリ（長短長さが異なる二個の巻きオシボリ）を形成する好ましい折り形状を示した説明図である。
【００５２】
二個の巻きオシボリ２，２は、オシボリシートＳの横幅方向と直交する左右の折り目Ｆで区分けされた当該オシボリシートの長短長さが異なる左右両側部Ｓ２を該折り目Ｆ間の基シート部Ｓ１に向け、かつ前記折り目Ｆで折られた長短長さが異なる両折り片Ｓ２の端縁Ｓ２ａが離間した状態に折り畳み（図３の（ａ）を参照）、且つ前記両折り片Ｓ２の離間した端縁Ｓ２ａ間に位置する前記基シート部Ｓ１の横幅方向における長短長さを異にする位置部分を前記折り目Ｆと平行な分断線Ｃで切断（図３の（ｂ）を参照）した後に、この分断線Ｃで切断され分断された二個の折り畳みシートを前記横幅方向と直交する縦幅方向（前記折り目Ｆに沿う方向）に前記折り目Ｆで折られた折り片Ｓ２を内側にしてそれぞれロール状に巻いて（図２（ｃ）の巻き形成と実質的に同じであるため、図を省略した。）形成した長短長さが異なる二個の巻きオシボリから成る。この二個の巻きオシボリ２，２を、図１の（Ｂ）に示したオシボリ包装体１のように、前記分断線Ｃで切断された切断端縁が巻回されているオシボリ端部が互いに隣り合う直列状態に並べた態様で、かつピロー包装から成る前記包装体３のセンターシール部４のシール方向と平行な方向に直列状態に並べた態様で、かつ直列状態に並べた二個の巻きオシボリ２，２の前記折り目Ｆが巻回されている両端部がピロー包装から成る前記包装体３の両エンドシール部５，５に向けられた態様で包装体３内に包装してオシボリ包装体１を構成する。
【００５３】
図４は二個の巻きオシボリの他の折り形状を示し、図４の（Ａ）は図１の（Ａ）に示したオシボリ包装体に相当する二個の巻きオシボリ（長さがほぼ等しい二個の巻きオシボリ）を形成する好ましい折り形状を示し、図４の（Ｂ）は図１の（Ｂ）に示したオシボリ包装体に相当する二個の巻きオシボリ（長さが異なる二個の巻きオシボリ）を形成する好ましい折り形状を示している。
【００５４】
図４の（Ａ）は、巻きオシボリ２が、オシボリシートＳの横幅方向と直交する左右の折り目Ｆで区分けされた当該オシボリシートの長さがほぼ等しい左右両側部Ｓ２を該折り目Ｆ間の基シート部Ｓ１に向け蛇腹折り状態に折り畳み、かつ蛇腹折り状態に折られた左右の蛇腹折り状折り片部（図では二回折り二層の蛇腹折り状折り片部としたが、三回折り三層の蛇腹折り状折り片部としても良い。）Ｓ２の対向端部（蛇腹折り目）Ｓ２ａが離間した状態に折り畳み（図４（Ａ）の（ａ）を参照）、且つ離間した左右の蛇腹折り状折り片部Ｓ２の対向端部（蛇腹折り目）Ｓ２ａの間に位置する前記基シート部Ｓ１の横幅方向の中央部を前記折り目Ｆと平行な分断線Ｃで切断（図４（Ａ）の（ｂ）を参照）した後に、この分断線Ｃで切断され分断された二個の折り畳みシートを前記横幅方向と直交する縦幅方向（前記折り目Ｆに沿う方向）に前記蛇腹折り状折り片部Ｓ２を内側にしてそれぞれロール状に巻いて（図２（ｃ）の巻き形成と実質的に同じであるため、図を省略した。）形成した長さがほぼ等しい二個の巻きオシボリ２，２から成る。この二個の巻きオシボリ２，２を、図１の（Ａ）に示したオシボリ包装体１のように、前記分断線Ｃで切断された切断端縁が巻回されているオシボリ端部が互いに隣り合う直列状態に並べた態様で、かつピロー包装から成る前記包装体３のセンターシール部４のシール方向と平行な方向に直列状態に並べた態様で、かつ直列状態に並べた二個の巻きオシボリ２，２の両端部がピロー包装から成る前記包装体３の両エンドシール部５，５に向けられた態様で包装体３内に包装してオシボリ包装体１を構成する。
【００５５】
図４の（Ｂ）は、巻きオシボリ２が、オシボリシートＳの横幅方向と直交する左右の折り目Ｆで区分けされた当該オシボリシートの長短長さが異なる左右両側部Ｓ２を該折り目Ｆ間の基シート部Ｓ１に向け蛇腹折り状態に折り畳み、かつ蛇腹折り状態に折られた左右の蛇腹折り状折り片部（図では二回折り二層の蛇腹折り状折り片部としたが、三回折り三層の蛇腹折り状折り片部としても良い。）Ｓ２の対向端部（蛇腹折り目）Ｓ２ａが離間した状態に折り畳み（図４（Ｂ）の（ａ）を参照）、且つ離間した左右の蛇腹折り状折り片部Ｓ２の対向端部（蛇腹折り目）Ｓ２ａの間に位置する前記基シート部Ｓ１の横幅方向における長短長さを異にする位置部分を前記折り目Ｆと平行な分断線Ｃで切断（図４（Ｂ）の（ｂ）を参照）した後に、この分断線Ｃで切断され分断された二個の折り畳みシートを前記横幅方向と直交する縦幅方向（前記折り目Ｆに沿う方向）に前記蛇腹折り状折り片部Ｓ２を内側にしてそれぞれロール状に巻いて（図２（ｃ）の巻き形成と実質的に同じであるため、図を省略した。）形成した長短長さが異なる二個の巻きオシボリ２，２から成る。この二個の巻きオシボリ２，２を、図１の（Ｂ）に示したオシボリ包装体１のように、前記分断線Ｃで切断された切断端縁が巻回されているオシボリ端部が互いに隣り合う直列状態に並べた態様で、かつピロー包装から成る前記包装体３のセンターシール部４のシール方向と平行な方向に直列状態に並べた態様で、かつ直列状態に並べた二個の巻きオシボリ２，２の両端部がピロー包装から成る前記包装体３の両エンドシール部５，５に向けられた態様で包装体３内に包装してオシボリ包装体１を構成する。
【００５６】
図５は二個の巻きオシボリの他の折り形状を示し、図５の（Ａ）は図１の（Ａ）に示したオシボリ包装体に相当する二個の巻きオシボリ（長さがほぼ等しい二個の巻きオシボリ）を形成する好ましい折り形状を示し、図５の（Ｂ）は図１の（Ｂ）に示したオシボリ包装体に相当する二個の巻きオシボリ（長さが異なる二個の巻きオシボリ）を形成する好ましい折り形状を示している。
【００５７】
図５の（Ａ）は、巻きオシボリ２が、オシボリシートＳの横幅方向と直交する左右の折り目Ｆで区分けされた当該オシボリシートの長さがほぼ等しい左右両側部Ｓ２を該折り目Ｆ間の基シート部Ｓ１に向け巻き折り状態に折り畳み、かつ巻き折り状態に折られた左右の巻き折り状折り片部（図では二回折り二層の巻き折り状折り片部とした。）Ｓ２の対向端部（巻き折り目）Ｓ２ａが離間した状態に折り畳み（図５（Ａ）の（ａ）を参照）、且つ離間した左右の巻き折り状折り片部Ｓ２の対向端部（巻き折り目）Ｓ２ａの間に位置する前記基シート部Ｓ１の横幅方向の中央部を前記折り目Ｆと平行な分断線Ｃで切断（図５（Ａ）の（ｂ）を参照）した後に、この分断線Ｃで切断され分断された二個の折り畳みシートを前記横幅方向と直交する縦幅方向（前記折り目Ｆに沿う方向）に前記巻き折り状折り片部Ｓ２を内側にしてそれぞれロール状に巻いて（図２（ｃ）の巻き形成と実質的に同じであるため、図を省略した。）形成した長さがほぼ等しい二個の巻きオシボリ２，２から成る。この二個の巻きオシボリ２，２を、図１の（Ａ）に示したオシボリ包装体１のように、前記分断線Ｃで切断された切断端縁が巻回されているオシボリ端部が互いに隣り合う直列状態に並べた態様で、かつピロー包装から成る前記包装体３のセンターシール部４のシール方向と平行な方向に直列状態に並べた態様で、かつ直列状態に並べた二個の巻きオシボリ２，２の両端部がピロー包装から成る前記包装体３の両エンドシール部５，５に向けられた態様で包装体３内に包装してオシボリ包装体１を構成する。
【００５８】
図５の（Ｂ）は、巻きオシボリ２が、オシボリシートＳの横幅方向と直交する左右の折り目Ｆで区分けされた当該オシボリシートの長短長さが異なる左右両側部Ｓ２を該折り目Ｆ間の基シート部Ｓ１に向け巻き折り状態に折り畳み、かつ巻き折り状態に折られた左右の巻き折り状折り片部（図では二回折り二層の巻き折り状折り片部とした。）Ｓ２の対向端部（巻き折り目）Ｓ２ａが離間した状態に折り畳み（図５（Ｂ）の（ａ）を参照）、且つ離間した左右の巻き折り状折り片部Ｓ２の対向端部（巻き折り目）Ｓ２ａの間に位置する前記基シート部Ｓ１の横幅方向における長短長さを異にする位置部分を前記折り目Ｆと平行な分断線Ｃで切断（図５（Ｂ）の（ｂ）を参照）した後に、この分断線Ｃで切断され分断された二個の折り畳みシートを前記横幅方向と直交する縦幅方向（前記折り目Ｆに沿う方向）に前記巻き折り状折り片部Ｓ２を内側にしてそれぞれロール状に巻いて（図２（ｃ）の巻き形成と実質的に同じであるため、図を省略した。）形成した長短長さが異なる二個の巻きオシボリ２，２から成る。この二個の巻きオシボリ２，２を、図１の（Ｂ）に示したオシボリ包装体１のように、前記分断線Ｃで切断された切断端縁が巻回されているオシボリ端部が互いに隣り合う直列状態に並べた態様で、かつピロー包装から成る前記包装体３のセンターシール部４のシール方向と平行な方向に直列状態に並べた態様で、かつ直列状態に並べた二個の巻きオシボリ２，２の両端部がピロー包装から成る前記包装体３の両エンドシール部５，５に向けられた態様で包装体３内に包装してオシボリ包装体１を構成する。
【００５９】
図６は、本考案のオシボリ包装体の他の実施形態を示している。図６のオシボリ包装体は、オシボリシートをロール状に巻いた湿潤状態の巻きオシボリ２をプラスチックフィルムのピロー包装から成る包装体３で密閉状態に包装したオシボリ包装体１であって、前記巻きオシボリ２がロール状に巻かれた二個の巻きオシボリ２，２（図６は、長さがほぼ等しい二個の巻きオシボリとしてあるが、長短長さが異なる二個の巻きオシボリでも良い。）から成り、この二個の巻きオシボリ２，２が、ピロー包装から成る前記包装体３のセンターシール部４のシール方向と平行な方向に直列状態に並べられた態様で、かつ直列状態に並べられた二個の巻きオシボリ２，２の両端部がピロー包装から成る前記包装体３の両エンドシール部５，５に向けられた態様で包装体３内に包装された構造のオシボリ包装体１であり、前記包装体３の両エンドシール部５，５の間の包装胴部の適位置に、この包装体３を開封するための開封用ミシン目線６を両エンドシール部５，５と平行な方向すなわち包装胴部の胴回り方向の全周囲（センターシール部４を含む）にわたって延ばし、該包装体３を前記開封用ミシン目線６で二つに分断して開封できるように形成すると共に、この開封用ミシン目線６の形成位置を被う範囲のプラスチックフィルム包装体３の外側表面（内側表面でも良い。）に前記開封用ミシン目線６の破断切れ目線部の通気性を阻止して包装された巻きオシボリ２の湿潤状態を保つための樹脂被膜７（図６では便宜的に斜線で示した。）を溶剤で溶かした樹脂を薄く塗布して積層形成し、この樹脂被膜７は前記プラスチックフィルムの包装体３より破断されやすい弱い破断強度に形成され、且つこの樹脂被膜７が積層形成されている前記開封用ミシン目線６の形成位置における引張強度はプラスチックフィルムのみから成る前記包装体３の引張強度より破断されやすい弱い引張強度に形成してある。
【００６０】
開封用ミシン目線６は、図６の（Ａ）に示したように、前記包装体３内に直列状態に並べた態様で包装された二個の巻きオシボリ２，２の隣り合う互いの端部位置と前記開封用ミシン目線６の形成位置が対応するように形成してある。これによって、図６の（Ｂ）に示したように、破断された包装体の開封位置に二個の巻きオシボリの隣り合う互いの端部が位置するため、二個の巻きオシボリを開封した包装体からそれぞれ取り出し易い利点がある。しかし、開封用ミシン目線６の形成位置は特に限定するものではなく、例えば、包装体３の両エンドシール部４，４の間の端部寄りの位置に形成しても良く、包装体３の両エンドシール部４，４の間の包装胴部の適位置で良い。
【００６１】
図６の実施形態の開封用ミシン目線６は、破断切れ目線部（プラスチックフィルムを完全に打ち抜いた切れ目）と接続部を破断線に沿って交互に配したもので、前記接続部がプラスチックフィルムをそのまま残したものとしてある。この開封用ミシン目線６は、ミシン目線に沿って容易に破断できるように、破断切れ目線部間の接続部に比して破断切れ目線部を長くしたミシン目線が好ましい。このような開封用ミシン目線６にすれば、図６の実施形態のように開封用ミシン目線６を包装体３の全周囲にわたって延ばして形成した場合でも、開封用ミシン目線６に沿って容易に包装体３を二つに分断して開封できる。そして、破断切れ目線部を長くしたミシン目線であっても開封用ミシン目線６を被う樹脂被膜７の存在によって破断切れ目線部の通気性（破断切れ目線部が長いとこの切れ目を通した包装内外の空気の流通が増し、湿潤オシボリの乾燥を助長してしまう。）を阻止でき、包装体内の巻きオシボリ２の湿潤状態を長期間にわたって保持できる。
【００６２】
なお、前記開封用ミシン目線６は、破断切れ目線部（プラスチックフィルムを完全に打ち抜いた切れ目）と接続部を破断線に沿って交互に配したもので、前記接続部が、図６の実施例のように、プラスチックフィルムをそのまま残したものの他、図示してないが、前記破断切れ目線部に連続した強度劣化線（例えばプラスチックフィルムにフィルム厚の半分前後の深さの切れ目を入れたもの）を形成したものを採用しても良い。破断切れ目線部に連続した前記強度劣化線を形成した開封用ミシン目線６であれば、破断切れ目線部間の接続部に比して破断切れ目線部をそれほど長く形成しなくても、前記強度劣化線の機能によって、開封用ミシン目線６は、ミシン目線に沿って容易に破断できる。そして、このような開封用ミシン目線を採用すれば、図６の実施形態のように開封用ミシン目線６を包装体３の全周囲にわたって延ばして形成した場合でも、開封用ミシン目線６に沿って容易に包装体を二つに分断して開封できる。
【００６３】
前記樹脂被膜７を形成する溶剤で溶かした樹脂は、熱可塑性のプラスチックフィルム包装体との付着性が良く、且つ耐水性（水分を通さない）のあるものを用い、ビニール樹脂、アクリル樹脂、ポリエステル樹脂などの熱可塑性樹脂を用いるのが好ましい。
【００６４】
図６の実施形態では、前記開封用ミシン目線６とこの開封用ミシン目線６の形成位置を被う樹脂被膜７は、前記包装体３の包装胴部５の胴回り方向の全周囲（センターシール部８を含む）にわたって延ばして形成してある。
【００６５】
前記樹脂被膜７は、図７の上に示したように、開封用ミシン目線６の破断切れ目線部が閉じた状態（左右の切れ目が接した状態）において溶剤で溶かした樹脂を塗布して積層形成するのが好ましく、開封用ミシン目線６の破断切れ目線部の開きを阻止できる程度に溶剤で溶かした樹脂を薄く塗布して積層形成するのが好ましい。そして、この樹脂被膜７は、図７の下に示したように、開封用ミシン目線６と共に開封用ミシン目線６に沿って容易に且つ綺麗に破断できるように形成してある。
【００６６】
図６のオシボリ包装体１によれば、開封用ミシン目線６の形成位置を被う樹脂被膜７によって開封用ミシン目線６の破断切れ目線部を通した包装内外の空気の流通を完全に阻止でき、包装体３内の巻きオシボリ２の湿潤状態を長期間にわたって保つことができる。また、包装体３を開封する際、開封用ミシン目線６の形成位置を被う樹脂被膜７は、図６（Ｂ）、図７に示したように、この開封用ミシン目線６に沿う破断線に沿ってこの開封用ミシン目線６と共に容易に且つ綺麗に破断されるため、包装体３を開封用ミシン目線６に沿う規則的な破断線に沿って誰でも簡単かつ綺麗に開封できる。包装体３の開封は、開封用ミシン目線６を間にした包装体の両方を引き離すことにより、開封用ミシン目線６に沿う破断線に沿って開封用ミシン目線６と樹脂被膜７は共に破断され、包装体３を開封用ミシン目線６に沿う破断線に沿って簡単かつ綺麗に開封できる。また、図６（Ａ）の二個の巻きオシボリ２を直列状態に封入したオシボリ包装体１は巻き形態を保つ必要等から空気も封入され膨らませてある。このため包装体３の開封は、例えば、膨らませてある包装体を叩く等して圧力を加えれば、封入空気の作用によって、樹脂被膜７は開封用ミシン目線６の破断線に沿って破裂されるため、包装体を簡単かつ綺麗に開封できる。
【００６７】
図６の樹脂被膜７は、前記開封用ミシン目線６の形成位置が分かるように開封用ミシン目線６の形成位置に沿って包装体３の胴回り方向の全周にわたり帯状に延ばして該開封用ミシン目線６を外側から被うように形成してある。そして、この樹脂被膜７の表面に開封用ミシン目線６の形成位置が一目で分かるような識別色を印刷で施すことが好ましい。また、樹脂被膜７自体の色を包装体３のフィルムの色（一般的には半透明の乳白色が多い。）と識別できる色（例えば、赤や青や緑色）で区分け形成しても良い。これによって、オシボリの使用者は、この樹脂被膜７を目印にして開封用ミシン目線６の形成位置が分かり、この開封用ミシン目線６の形成位置から包装体３を開封でき、誰でも容易に開封位置が分かり、特に小さな子供や老人でも容易に開封できる。
【００６８】
図８は、本考案のオシボリ包装体の他の実施形態を示している。図８のオシボリ包装体は、オシボリシートをロール状に巻いた湿潤状態の巻きオシボリ２をプラスチックフィルムのピロー包装から成る包装体３で密閉状態に包装したオシボリ包装体１であって、前記巻きオシボリ２が、図８（Ｂ）に示したように、オシボリシートＳの横幅方向と直交する左右の折り目Ｆで区分けされた当該オシボリシートの左右両側部を該折り目Ｆ間の基シート部Ｓ１（の中央部）に向け、かつ前記折り目Ｆで折られた両折り片Ｓ２の端縁Ｓ２ａが離間した状態に折り返し、前記両折り片Ｓ２の離間した端縁Ｓ２ａ間に位置する前記基シート部Ｓ１の部分に前記折り目Ｆと平行な方向に延びる分断用ミシン目線８を形成し、且つこの折り畳みシートを前記横幅方向と直交する縦幅方向（前記折り目Ｆ及び分断用ミシン目線８に沿う方向）に前記折り目Ｆで折られた両折り片Ｓ２を内側にしてロール状に巻いて形成した巻きオシボリ２であり、この巻きオシボリ２を当該巻きオシボリの前記折り目Ｆが巻回されている両端部がピロー包装から成る前記包装体３の両エンドシール部５，５に向けられた態様で包装体３内に包装してオシボリ包装体１を構成したものである。
【００６９】
図８のオシボリ包装体１は、巻きオシボリ２を分断用ミシン目線８で二個に分断する手間がかかるが、分断用ミシン目線８で分断された二個の巻きオシボリを食前用、食後用として衛生的に使用できる。
【符号の説明】
【００７０】
１  オシボリ包装体
２  巻きオシボリ
Ｌ  各巻きオシボリの長さ
３  包装体
４  センターシール部
５  エンドシール部
Ｓ  オシボリシート
Ｆ  折り目
Ｓ１  基シート部
Ｓ２  折り片、蛇腹折り状折り片部、巻き折り状折り片部
Ｃ  分断線
６  開封用ミシン目線
７  樹脂被膜
８  分断用ミシン目線
【図１】
0003193349.tif 000003
【図２】
0003193349.tif 000004
【図３】
0003193349.tif 000005
【図４】
0003193349.tif 000006
【図５】
0003193349.tif 000007
【図６】
0003193349.tif 000008
【図７】
0003193349.tif 000009
【図８】
0003193349.tif 000010